(57)【要約】【課題】組み立て作業が容易となり、作業時間の短縮を図ることの可能な梱包箱を提供する。【解決手段】１枚のシート部材を箱状に折り曲げることで形成される梱包箱において、１回の折り曲げ動作によって前記シート部材において折り曲げるべき部位の複数が連動して折り曲げられるように、前記シート部材の所定箇所に連動折り曲げ線を設ける。【選択図】図１
2011025990.tif 000002
【特許請求の範囲】
【請求項１】
１枚のシート部材を箱状に折り曲げることで形成される梱包箱において、
１回の折り曲げ動作によって前記シート部材において折り曲げるべき部位の複数が連動して折り曲げられるように、前記シート部材の所定箇所に連動折り曲げ線を設けたことを特徴とする梱包箱。
【請求項２】
前記シート部材は、
四角形状の底部と、
前記底部の１辺に折り曲げ可能に設けられた第１主側部と、
前記第１側部において前記底部と接する辺の反対側の辺に折り曲げ可能に設けられた四角形状の蓋部と、
前記底部において前記第１側部と接する辺の一端に接する辺に折り曲げ可能に設けられた第２主側部と、
前記底部において前記第１側部と接する辺の他端に接する辺に折り曲げ可能に設けられた第３主側部と、
前記蓋部において前記第１側部と接する辺の一端に接する辺に折り曲げ可能に設けられた第１副側部と、
前記蓋部において前記第１側部と接する辺の他端に接する辺に折り曲げ可能に設けられた第２副側部と、
前記第１、第２主側部及び第１副側部に接する箇所に、前記第１、第２主側部及び第１副側部が連動して折り曲げられるように折り曲げ線が設けられた第１連動折り曲げ部と、
を有することを特徴とする請求項１記載の梱包箱。
【請求項３】
前記第１、第３主側部及び第２副側部に接する箇所に、前記第１、第３主側部及び第２副側部が連動して折り曲げられるように折り曲げ線が設けられた第２連動折り曲げ部をさらに有することを特徴とする請求項２記載の梱包箱。
【発明の詳細な説明】
【技術分野】
【０００１】
本発明は、梱包箱に関し、特に一枚のシート部材を折り曲げることで組み立て可能な梱包箱に関する。
【背景技術】
【０００２】
従来から、物品の梱包には、一枚のシート部材を折り曲げることで組み立て可能な梱包箱が用いられることが一般的である。このような梱包箱には、組み立て作業において、テープ止め作業や糊付け作業等の接着作業が必要なタイプと、これら接着作業は不要で、シート部材の折り曲げ作業のみで組み立て可能なタイプとがある（例えば、下記特許文献１〜５参照）。
【先行技術文献】
【特許文献】
【０００３】
【特許文献１】特開平９−２５５０７１号公報
【特許文献２】特開２００４−２６２３１号公報
【特許文献３】特許第４０９１３９４号公報
【特許文献４】実用新案登録３０７６９５７号公報
【特許文献５】実用新案登録２５７９８９５号公報
【発明の概要】
【発明が解決しようとする課題】
【０００４】
上記のように、梱包箱には２つのタイプが存在するが、組み立て作業の工数を減らすために、後者のタイプ、つまり接着作業は不要で、シート部材の折り曲げ作業のみで組み立て可能な梱包箱を用いることが多い。しかしながら、そのようなシート部材の折り曲げ作業のみで組み立て可能な梱包箱であっても、シート部材の各所に設けられた折り目線のそれぞれについて折り曲げ作業を行う必要があり、ある程度の作業時間を要していた。
【０００５】
本発明は、上述した事情に鑑みてなされたものであり、組み立て作業が容易となり、作業時間の短縮を図ることの可能な梱包箱を提供することを目的とする。
【課題を解決するための手段】
【０００６】
上記目的を達成するために、本発明に係る梱包箱は、１枚のシート部材を箱状に折り曲げることで形成される梱包箱において、１回の折り曲げ動作によって前記シート部材において折り曲げるべき部位の複数が連動して折り曲げられるように、前記シート部材の所定箇所に連動折り曲げ線を設けたことを特徴とする。
また、上記梱包箱において、前記シート部材は、四角形状の底部と、前記底部の１辺に折り曲げ可能に設けられた第１主側部と、前記第１側部において前記底部と接する辺の反対側の辺に折り曲げ可能に設けられた四角形状の蓋部と、前記底部において前記第１側部と接する辺の一端に接する辺に折り曲げ可能に設けられた第２主側部と、前記底部において前記第１側部と接する辺の他端に接する辺に折り曲げ可能に設けられた第３主側部と、前記蓋部において前記第１側部と接する辺の一端に接する辺に折り曲げ可能に設けられた第１副側部と、前記蓋部において前記第１側部と接する辺の他端に接する辺に折り曲げ可能に設けられた第２副側部と、前記第１、第２主側部及び第１副側部に接する箇所に、前記第１、第２主側部及び第１副側部が連動して折り曲げられるように折り曲げ線が設けられた第１連動折り曲げ部とを有することを特徴とする。
また、上記梱包箱において、前記シート部材は、前記第１、第３主側部及び第２副側部に接する箇所に、前記第１、第３主側部及び第２副側部が連動して折り曲げられるように折り曲げ線が設けられた第２連動折り曲げ部をさらに有することを特徴とする。
【発明の効果】
【０００７】
本発明に係る梱包箱によれば、１回の折り曲げ動作によってシート部材において折り曲げるべき部位の複数が連動して折り曲げられるため、組み立て作業が容易となり、作業時間の短縮を図ることが可能となる。
【図面の簡単な説明】
【０００８】
【図１】本発明の一実施形態における梱包箱１の展開図である。
【図２】本実施形態に係る梱包箱１の組み立て工程を示す第１説明図である。
【図３】本実施形態に係る梱包箱１の組み立て工程を示す第２説明図である。
【図４】本実施形態に係る梱包箱１の組み立て工程を示す第３説明図である。
【図５】本実施形態に係る梱包箱１の組み立て工程を示す第４説明図である。
【図６】本実施形態に係る梱包箱１の変形例である。
【発明を実施するための形態】
【０００９】
以下、図面を参照しながら、本発明の一実施形態について説明する。図１は、本実施形態に係る梱包箱１の展開図である。この梱包箱１は、例えば段ボールや厚紙等の１枚のシート部材を箱状に折り曲げることで形成される梱包箱であり、１回の折り曲げ動作によって、シート部材において折り曲げるべき部位の複数が連動して折り曲げられるように、シート部材の所定箇所に連動折り曲げ線を設けた構成となっている。
【００１０】
具体的には、図１に示すように、梱包箱１は、１枚のシート部材に、底部２、第１主側部３、第２主側部４、第３主側部５、第４主側部６、蓋部７、第１副側部８、第２副側部９、第１連動折り曲げ部１０及び第２連動折り曲げ部１１を設けた構成となっている。底部２は、梱包箱１における底板としての役割を担う四角形状の部位である。第１主側部３は、梱包箱１における側板の１つとしての役割と、上記底部２と後述する蓋部７とを連結する連結部としての役割を担う部位であり、上記底部２の１辺ｓ１に折り曲げ可能に設けられている。
【００１１】
第２主側部４は、梱包箱１における側板の１つとしての役割を担う部位であり、上記底部２において第１主側部３と接する辺ｓ１の一端に接する辺ｓ２に折り曲げ可能に設けられている。また、この第２主側部４において第４主側部６側の辺には、梱包箱１の強度を高める役割を担う補強部４ａが折り曲げ可能に設けられている。第３主側部５は、梱包箱１における側板の１つとしての役割を担う部位であり、上記底部２において第１主側部３と接する辺ｓ１の他端に接する辺ｓ３に折り曲げ可能に設けられている。また、この第３主側部５において第４主側部６側の辺には、梱包箱１の強度を高める役割を担う補強部５ａが折り曲げ可能に設けられている。
【００１２】
第４主側部６は、梱包箱１における側板の１つとしての役割を担う部位であり、上記底部２において第１主側部３と接する辺ｓ１の反対側の辺ｓ４に折り曲げ可能に設けられている。また、この第４主側部６において底部２と接する辺ｓ４の反対側の辺には、最終的に底部２と蓋部７との間に差し込まれる差込み部６ａが折り曲げ可能に設けられていると共に、後述する蓋部７に設けられた舌部７ａを挿入するためのスリット状の舌部係止孔６ｂと、組み立て完了後の梱包箱１において指を挿入して差込み部６ａを抜き出すための半円状の切抜き孔６ｃとが設けられている。
【００１３】
蓋部７は、梱包箱１における蓋板としての役割を担う四角形状の部位であり、第１主側部３において底部２と接する辺ｓ１の反対側の辺ｓ５に折り曲げ可能に設けられている。また、この蓋部７において第１主側部３と接する辺ｓ５の反対側の辺には、最終的に上記第４主側部６の舌部係止孔６ｂに挿入される舌部７ａが折り曲げ可能に設けられている。第１副側部８は、梱包箱１における側板及び補強板としての役割を担う部位であり、蓋部７において第１主側部３と接する辺ｓ５の一端に接する辺ｓ６に折り曲げ可能に設けられている。第２副側部９は、梱包箱１における側板及び補強板としての役割を担う部位であり、蓋部７において第１主側部３と接する辺ｓ５の他端に接する辺ｓ７に折り曲げ可能に設けられている。
【００１４】
第１連動折り曲げ部１０は、第１主側部３、第２主側部４及び第１副側部８に接する箇所において、１回の折り曲げ動作で、これら第１主側部３、第２主側部４及び第１副側部８が連動して折り曲げられるように、折り曲げ線１０ａ、１０ｂ、１０ｃ、１０ｄ及び１０ｅが設けられた部位である。この第１連動折り曲げ部１０は、中心部Ｐ１を頂点とする４つの二等辺三角形状の領域の内、外側の１領域が切除された形状となっており、第１主側部３と接する箇所において、底部２の短辺ｓ２の延長線上に折り曲げ線１０ａが設けられている。また、第２主側部４と接する箇所において、底部２の長辺ｓ１の延長線上に折り曲げ線１０ｂが設けられている。また、第１副側部８と接する箇所において、蓋部７の長辺ｓ５の延長線上に折り曲げ線１０ｃが設けられている。さらに、底部２の長辺ｓ１の一端と中心部Ｐ１とを結ぶ直線上に折り曲げ線１０ｄが設けられ、蓋部７の長辺ｓ５の一端と中心部Ｐ１とを結ぶ直線上に折り曲げ線１０ｅが設けられている。
【００１５】
第２連動折り曲げ部１１は、第１主側部３、第３主側部５及び第２副側部９に接する箇所において、１回の折り曲げ動作で、これら第１主側部３、第３主側部５及び第２副側部９が連動して折り曲げられるように、折り曲げ線１１ａ、１１ｂ、１１ｃ、１１ｄ及び１１ｅが設けられた部位である。この第２連動折り曲げ部１１は、中心部Ｐ２を頂点とする４つの二等辺三角形状の領域の内、外側の１領域が切除された形状となっており、第１主側部３と接する箇所において、底部２の短辺ｓ３の延長線上に折り曲げ線１１ａが設けられている。また、第３主側部５と接する箇所において、底部２の長辺ｓ１の延長線上に折り曲げ線１１ｂが設けられている。また、第２副側部９と接する箇所において、蓋部７の長辺ｓ５の延長線上に折り曲げ線１１ｃが設けられている。さらに、底部２の長辺ｓ１の他端と中心部Ｐ２とを結ぶ直線上に折り曲げ線１１ｄが設けられ、蓋部７の長辺ｓ５の他端と中心部Ｐ２とを結ぶ直線上に折り曲げ線１１ｅが設けられている。
このように、第１連動折り曲げ部１０と第２連動折り曲げ部１１の構成は、互いに鏡像関係にある。
【００１６】
続いて、図２〜図５を参照しながら、上述した本実施形態に係る梱包箱１の組み立て工程について説明する。
まず、図２に示すように、第１連動折り曲げ部１０の中心部Ｐ１と、第２連動折り曲げ部１１の中心部Ｐ２とにシート部材の裏面側から指を押し当て、折り曲げ線１０ａにて第１連動折り曲げ部１０が折り曲がるように力を加え、同時に、折り曲げ線１１ａにて第２連動折り曲げ部１１が折り曲がるように力を加えると、第１連動折り曲げ部１０は折り曲げ線１０ｂ、１０ｃ、１０ｄ及び１０ｅにて折り曲げられて中心部Ｐ１を頂点とする錐体形状に変形し、一方、第２連動折り曲げ部１１は折り曲げ線１１ｂ、１１ｃ、１１ｄ及び１１ｅにて折り曲げられて中心部Ｐ２を頂点とする錐体形状に変形する。
【００１７】
この時、第１連動折り曲げ部１０と接する第１主側部３、第２主側部４及び第１副側部８と、第２連動折り曲げ部１１と接する第１主側部３、第３主側部５及び第２副側部９も連動して折り曲げられる。すなわち、一回の折り曲げ動作によって、シート部材において折り曲げるべき部位の複数が連動して折り曲げられることになる。この時点では、図２に示すように、第２主側部４及び第３主側部５を底部２に対して概ね９０°となるように折り曲げることができると共に、第１副側部８及び第２副側部９を蓋部７に対して概ね９０°となるように折り曲げることができ、また、第１主側部３を底部２に対して所定角度の傾きで折り曲げることができる。
【００１８】
そして、図３に示すように、第１連動折り曲げ部１０及び第２連動折り曲げ部１１を、錐体形状を構成する各二等辺三角形領域が重なり合うように畳み込み、第１副側部８が第２主側部４の内側に位置するように、且つ第２副側部９が第３主側部５の内側に位置するように、第１主側部３を底部２に対して概ね９０°となるように折り曲げ、さらに、蓋部７を第１主側部３に対して概ね９０°となるように折り曲げる。
【００１９】
そして、図４に示すように、第２主側部４の補強部４ａを第２主側部４に対して概ね９０°となるように折り曲げ、また、第３主側部５の補強部５ａを第３主側部５に対して概ね９０°となるように折り曲げる。そして、第４主側部６の差込み部６ａを第４主側部６に対して概ね９０°となるように折り曲げた後、この差込み部６ａが底部２と蓋部７との間に差し込まれるように第４主側部６を折り曲げる。
最後に、図５に示すように、蓋部７の舌部７ａを折り曲げて第４主側部６の舌部係止孔６ｂに挿入することにより、梱包箱１の組み立てが完了する。
【００２０】
以上説明したように、本実施形態に係る梱包箱１によれば、１回の折り曲げ動作によって、シート部材において折り曲げるべき部位の複数が連動して折り曲げられるため、組み立て作業が容易となり、作業時間の短縮を図ることが可能となる。また、組み立て後の梱包箱１において側面の開きに対する強度も確保することができる。さらに、テープ止め作業や糊付け作業等の接着作業が不要であるため、梱包箱１を廃棄する際の解体作業を容易にすることができる。
【００２１】
なお、上記実施形態では、第１主側部３、第２主側部４及び第１副側部８に接する箇所に第１連動折り曲げ部１０を設け、第１主側部３、第３主側部５及び第２副側部９に接する箇所に第２連動折り曲げ部１１を設けた場合を例示したが、片側のみに連動折り曲げ部を設けるような構成としても良い。図６に、例えば第１連動折り曲げ部１０のみを設けた場合を例示する。このような構成とすると、両側に連動折り曲げ部を設けた場合と比べて梱包箱１の強度は低下するが、少なくとも第１主側部３、第２主側部４及び第１副側部８を連動して折り曲げることが可能となる。
【００２２】
また、各折り曲げ線の配置箇所は上記実施形態に限定されず、１回の折り曲げ動作によって、シート部材において折り曲げるべき部位の複数を連動して折り曲げることが可能であれば、他の所望の箇所に折り曲げ線を設けても良い。
【符号の説明】
【００２３】
１…梱包箱、２…底部、３…第１主側部、４…第２主側部、４ａ補強部、５…第３主側部、５ａ補強部、６…第４主側部、６ａ…差込み部、６ｂ…舌部係止孔、６ｃ…切抜き孔、７…蓋部、７ａ…舌部、８…第１副側部、９…第２副側部、１０…第１連動折り曲げ部、１１…第２連動折り曲げ部、１０ａ、１０ｂ、１０ｃ、１０ｄ、１０ｅ、１１ａ、１１ｂ、１１ｃ、１１ｄ、１１ｅ…折り曲げ線
【図１】
2011025990.tif 000003
【図２】
2011025990.tif 000004
【図３】
2011025990.tif 000005
【図４】
2011025990.tif 000006
【図５】
2011025990.tif 000007
【図６】
2011025990.tif 000008